(57)【要約】 【課題】  美観性と安全性を備え且つ施工性の良好なＬＡＮの構築を可能にし、ＪＩＳ規格適合配線器具に対応した埋め込み型ＨＵＢ内蔵ローゼットを提供する。【解決手段】  筐体前部を室内側に露出すると共に、筐体後部を壁内側に露出して壁面に埋め込まれるローゼットとし、筐体前部に室内側接栓であるＬＡＮケーブルを終端するためのＲＪ−４５型ジャック６を配すると共に、筐体後部に壁内側接栓である別のＬＡＮケーブルに接続するためのクランプ型端子７を配し、筐体１１内に上記の両接栓回路をＬＡＮネットワークに接続するためのＨＵＢ回路９ａ〜９ｃを内蔵する。【選択図】  図２
2005244514.tif 000002
【特許請求の範囲】
【請求項１】
筐体前部を室内側に露出すると共に、筐体後部を壁内側に露出して壁面に埋め込まれるローゼットにして、筐体前部に室内側接栓であるＬＡＮケーブルを終端するためのＲＪ−４５型ジャックを配すると共に、筐体後部に壁内側接栓である別のＬＡＮケーブルに接続するためのクランプ型端子を配し、筐体内に上記の両接栓回路をＬＡＮネットワークに接続するためのＨＵＢ回路を内蔵したことを特徴とする壁埋込型ＨＵＢ内蔵ローゼット。
【請求項２】
筐体前部を壁面より室内側に突出させ、突出部分の上下面あるいは側面にＨＵＢ回路を内蔵した筐体内部と連通する通気孔を設けることにより、内部ＨＵＢ回路部における空気の流通性を向上させる請求項１の壁埋込型ＨＵＢ内蔵ローゼット。
【請求項３】
室内側接栓、壁内側接栓及びＨＵＢ回路を複数枚のプリント基板に分割実装すると共に、上記各プリント基板を筐体の前後方向に配することにより、基板の実装による筐体の縦横方向の面積の増大を防止した請求項１又は２記載の壁埋込型ＨＵＢ内蔵ローゼット。
【請求項４】
筐体後部をＪＩＳ規格Ｃ８４３５で規定されるアウトレットボックス内に収容可能な寸法とすると共に、筐体前部をＪＩＳ規格Ｃ８３１６で規定されるフラッシュプレートに貫挿可能な寸法とし、更に筐体にＪＩＳ規格Ｃ８３７５で規定される取付枠に固着するための突起を配した請求項３記載の壁埋込型ＨＵＢ内蔵ローゼット。
【請求項５】
筐体前部に室内側接栓である電話用ケーブルを終端するためのＲＪ−１１型ジャックを配すると共に、筐体後部に壁内側接栓である別の電話用ケーブルに接続するためのクランプ型端子を配し、筐体内に上記の両接栓間を接続する回路を内蔵した請求項１から４の何れかに記載の壁埋込型ＨＵＢ内蔵ローゼット。
【発明の詳細な説明】
【技術分野】
【０００１】
本発明は、ＬＡＮ（Ｌｏｃａｌ  Ａｒｅａ  Ｎｅｔｗｏｒｋ）システムに使用される集線装置であるＨＵＢと、電話端末間及びＬＡＮ端末間の配線を接続するローゼット（通信用コンセント）に関するものであり、より詳細には壁内埋め込み式で使用するＨＵＢ内蔵ローゼットに関する。
【背景技術】
【０００２】
オフィス内、学校内などの限られた範囲のコンピュータネットワークであるＬＡＮにおいて端末間を結ぶ配線を集線する装置としてＨＵＢが使われる。本来ＨＵＢとは、複数個ある接続端子（以下ポートとよぶ）のうちの１ポートに信号を受信すると残りのポートに全て同じ信号を分岐送信するものである。このような機能をもったＨＵＢをリピータＨＵＢもしくはダムＨＵＢと呼び、信号分岐機能のほかに、同時に複数ポートから信号を受信したときの衝突検知機能を有する。
【０００３】
近年、接続した端末の識別番号（アドレス）を記憶してデータを送りたい端末のみにデータを送信するなどの高機能化を図ったスイッチングＨＵＢが主流となり、１００Ｍｂｐｓ及び１Ｇｂｐｓ伝送対応といった高速化をするとともに、小型化も図られてきている。      
【０００４】
しかし、ＨＵＢはビジネスユースが主流であるため、オフィス向けのデザインとなっており、ＨＵＢと関連するＬＡＮ配線が壁の外の室内に露出するいわゆる露出タイプになっている。そのため、一般家庭用に適用しようとしても露出タイプであるがために置き場所を室内に必要とし、配線の露出は必然的である。折角部屋間の配線を壁内に埋め込んだとしても、配線を壁内に引き込むケーブルが必要であり、そのケーブルがＨＵＢと壁面に設置された通信用コンセントとの間で露出し美観を損ね、配線を壁埋込にしたメリットが減少する。
【０００５】
この場合、ＨＵＢを壁埋め込みとする発明は下記の特許文献１において公知であるが、上記発明においては接栓は全て室内側に露出するので、ＬＡＮ配線は壁の外の室内に露出することになる。一方、壁内側接栓としてＲＪ−４５型ジャック（８極８心モジュラジャック）を設けた壁埋め込み型ＨＵＢが市販されているが、壁内側接栓がＲＪ−４５型であるがためにそこに接続するケーブルはＲＪ−４５型プラグ（８極８心モジュラプラグ）を取りつける必要がある。プラグの取付には特殊工具を使用したプラグ加締作業が必要となる。プラグ加締作業は、ピン配列の確認とプラグの奥まで線が挿入されていることの確認が必要である。この加締め作業でミスをすると、プラグをケーブルから切除しやり直しとなるため、工数が増えて施工コストが増えることになる。したがって、プラグ加締めの現場施工は敬遠される傾向がある。
【０００６】
また、この埋め込み型ＨＵＢは壁内側に１ポートしか無いため、単体では２部屋間の配線しかできない。３部屋以上に配線しようとすると、別途通信用コンセントとケーブルが必要となるため、美観性と施工性を損ねることになる。
【０００７】
さらに、この壁埋め込み型ＨＵＢはＪＩＳ規格に適合していないため、壁埋め込み型配線器具を壁に固定するための取付枠（ＪＩＳ規格Ｃ８３７５）、アウトレットボックス（ＪＩＳ規格Ｃ８４３５）、及びフラッシュプレート（ＪＩＳ規格Ｃ８３１６）に取りつけることができないため施工性が悪く、導入コストが高くなる。
【特許文献１】特開平６−２４４８４１公報
【特許文献２】実公平７−４３９６３号公報
【発明の開示】
【発明が解決しようとする課題】
【０００８】
家庭内にＬＡＮを導入する上での問題点としては、ＬＡＮの配線に使われるケーブルの美観性と安全性と施工性があげられる。この問題点が家庭内ＬＡＮの普及に影響するといっても過言ではない。
【０００９】
美観性と安全性を損ねないために、まず、部屋間の配線が露出しないようにする必要がある。その目的を達成するためＵＴＰケーブル（Ｕｎｓｈｉｌｄｅｄ  Ｔｗｉｓｔｅｄ  Ｐａｉｒ  ｃａｂｌｅ）を伝送媒体とするＬＡＮ配線では、ＬＡＮカード（ＮＩＣ：Ｎｅｔｗｏｒｋ  Ｉｎｔｅｒｆａｃｅ  Ｃａｒｄ）を搭載したパソコンと壁面のコンセント、それに両者を結ぶケーブルのみが露出することが理想である。各部屋間を結ぶケーブルとＨＵＢは、一旦設置してしまえば変更や再設定の必要がほとんど無い。エンドユーザは各部屋間を結ぶケーブルとＨＵＢの存在を意識しなくてもＬＡＮを運用可能なため、壁内に各部屋間を結ぶケーブルとＨＵＢを設置して隠してしまっても支障がない。
【００１０】
したがって、既存のＨＵＢを壁内に設置するのもひとつの手段であり、前述の通り、壁埋め込み用ＨＵＢが市販されている。しかし、ＨＵＢの壁内側接栓はＲＪ−４５ジャックであるため、接続相手はＲＪ−４５プラグ付きのケーブルとなる。一方、部屋間を結ぶ配管は直径１６ｍｍのものが多く、更に途中で曲がっていることが多い。よって、その配管内を通るは、プラグ付きの状態では配管を通すことが困難となる。そこで、この場合、ケーブルはプラグを取り付けない状態で配管を通し、その後に現場にてプラグ加締めを行うこととなり施工工数が増加する問題が生じる。
【００１１】
また、既設住宅、新築住宅共に市販のＪＩＳ規格適合配線器具を使用して電話及びＬＡＮの配線をするのが一般的である。しかし、市販ＨＵＢを壁に埋め込もうとしても、ＪＩＳ規格適合配線器具に取付可能な構造を有していないため、既設住宅では既設の配線設備が活用できず無駄が生じ、新築住宅でも標準工法を適用できないためコストアップとなる問題が生じる。
【００１２】
以上より本発明が解決すべき課題をまとめると、各部屋間を結ぶケーブルを壁埋め込みとして家庭内ＬＡＮ配線の美観性と安全性を確保し、そのケーブルとＨＵＢとの接続点にＲＪ−４５に代わる施工性のよい端子を採用し、かつ、ＪＩＳ規格適合配線器具に対応した壁埋め込み型ＨＵＢ内蔵ローゼットを提供することである。
【課題を解決するための手段】
【００１３】
この発明は以上の問題点を解消した壁埋込型ＨＵＢ内蔵ローゼットを提供することを目的として創作されたものであり、筐体前部を室内側に露出すると共に、筐体後部を壁内側に露出して壁面に埋め込まれるローゼットにして、筐体前部に室内側接栓であるＬＡＮケーブルを終端するためのＲＪ−４５型ジャックを配すると共に、筐体後部に壁内側接栓である別のＬＡＮケーブルに接続するためのクランプ型端子を配し、筐体内に上記の両接栓回路をＬＡＮネットワークに接続するためのＨＵＢ回路を内蔵したことを特徴とする。
【００１４】
この発明の特徴の１は、ケーブル芯線クランプに逆止作用を有する板バネを用いたクランプ端子（特許文献２記載の日本電信電話株式会社型番ＮＭＪ−８に使用される端子と同一構造）を１乃至複数個壁内側に設けることである。このクランプ端子は図１の構造を有している。図１中の逆止作用をもつＳ型の板バネ１は、バネケース２内に嵌入保持されると共に、ケーブル芯線解除ボタン３が進退自在に挿入される。上記バネケース２はセパレータ４を用いて固定されると共にホルダー５内に収容される。このクランプ端子を複数個設けることで別の部屋からのＵＴＰ  ＬＡＮケーブルを壁内で複数本接続できるため、各部屋間の配線が壁内に収納できる。
【００１５】
このクランプ端子は逆止作用をもつ板バネ機構とリリース機構を擁するため、成端作業が容易、かつ、リトライが可能であるという大きな利点を有する。
【００１６】
また、このクランプ端子は１個のバネケース２あたり２個のＳ型の板バネ１が嵌入され電気的に接続されているので、ケーブル芯線解除ボタン３の２つの孔に１本ずつケーブルを挿入すると両者が電気的に接続できる。したがって、バス配線可能となる。
【００１７】
ここで、ＨＵＢ回路の室内側接栓をＲＪ−４５型ジャックとし、壁内側接栓を上記クランプ端子として基板により両者を接続し筐体に収納すれば、施工性に優れた壁埋め込み型ＨＵＢを実現できる。
【００１８】
その２は、放熱性をよくするために室内側の筐体部分を壁面より突出させ、突出部の上下面あるいは側面に単数乃至複数個の通気孔を設けることによって、内部ＨＵＢ回路部における空気の流通性を改善したことである。
【００１９】
１００Ｍｂｐｓの高速で動作するＨＵＢは小型のものでも５Ｗ前後の電力を消費する。これを壁埋め込み型にすると、通気孔は室内側の面に露出されるので通気性が悪くなり、筐体内部の温度が上昇し回路動作に支障が生じる。これを解決するために、本発明では筐体を室内側に突出させてその突出部に通気孔を設け、空気の流通性を改善した。
【００２０】
その３は、室内側接栓、壁内側接栓及びＨＵＢ回路を複数枚のプリント基板に分割実装すると共に、上記各プリント基板を筐体の前後方向に配することにより、基板の実装による筐体の縦横方向の面積の増大を防止したことである。既設住宅、新築住宅に採用されているＪＩＳ規格Ｃ８４３５で規定されるアウトレットボックスの場合、縦横の寸法はそれぞれ１０２ｍｍ、５６ｍｍしかなく、基板を実装した結果筐体の縦横方向の面積が増大した場合、筐体後部をボックス内に収容できなくなるおそれがあるが、本発明によればそのような事態を防止できる。同様にＪＩＳ規格Ｃ８３１６で規定されるフラッシュプレートの場合、開口部分の縦横の寸法はそれぞれ６９．２ｍｍ、２８．５ｍｍしかなく、基板を実装した結果筐体の縦横方向の面積が増大した場合、筐体前部を貫挿できなくなるおそれがあるが、本発明によればそのような事態を防止できる。
【００２１】
すなわち、ここでは前記壁内側筐体の突出部寸法及び壁内の筐体幅はＪＩＳ規格対応の取付枠の間口寸法等に制限される。また、筐体の奥行きはＪＩＳ規格対応のコンセントボックスの奥行きに制限される。そのため、ＨＵＢ回路の電源部、ＨＵＢコントローラＬＳＩ及び周辺回路部、インタフェース部等の機能ブロックが極力別々の基板に分散しないように基板分割を行い、実装面積を確保しつつ実装容積を小さくした。
【発明の効果】
【００２２】
以上の構成よりなるこの発明の埋め込み型ＨＵＢ内蔵ローゼットによれば、第１に家庭内におけるＬＡＮの配線にあたってＨＵＢを壁面に埋め込んで収容できるので、従来技術のようにＨＵＢの置き場所を考慮しなくてもよく、しかも各部屋を結ぶＬＡＮケーブルは壁内側に収容されて露出することがないので、省スペースで且つ美観を損なわないＬＡＮを構築することが可能となる。第２に部屋間を結ぶＬＡＮケーブルは筐体後部に配した壁内側接栓であるクランプ型端子により接続されるので、特殊な工具を使用する必要がなくワンタッチで成端で作業性が良好となる。第３に前記したように各部屋を結ぶＬＡＮケーブルは露出しないで壁内側に収容されるので引っ掛け事故のおそれがなく安全性の高いＬＡＮを構築することが可能となる。
【発明を実施するための最良の形態】
【００２３】
以下、本発明の実施例を図面に基づいて説明する。図２は本発明の実施形態の構成を示す側断面図、図３は室内側の外観形状を示す斜視図、図４は壁内側の外観形状を示す斜視図である。図中符号１１は本発明の壁埋め込み型ＨＵＢ内蔵ローゼットの筐体を指す。本実施形態の壁埋め込み型ＨＵＢ内蔵ローゼットは、筐体前部を室内側に露出すると共に、筐体後部を壁内側に露出して壁面に埋め込まれるローゼットにして、室内側接栓である２対乃至４対のＵＴＰ  ＬＡＮケーブルを終端するためのＲＪ−４５型ジャック６が筐体前部の側面に直流電源供給用ＤＣジャック８と共に配され、壁内側接栓である別のケーブルに接続するためのクランプ型端子７が筐体後部の背面に配される。又、筐体の後部と前部の境目の周側には壁面に固定するＪＩＳ規格Ｃ８３７５で規定される取付枠に固着可能な４つの突起１０が突設され、筐体内部には３つに分割された室内側接栓、壁内側接栓及びＨＵＢ回路プリント基板９ａ〜９ｃが前後に配され、各プリント基板間の信号が接続される。
【００２４】
尚、ここでは以上の構成に加えて、筐体前部の側面には電話通信を行うための１乃至２対の電話ケーブルを終端するための室内側接栓であるＲＪ−１１型ジャック１２が配され、筐体後部の背面には壁内側接栓である別のケーブルに接続するためのクランプ型端子１３が配されると共に、これらがプリント基板上で配線されており、電話通信用のローゼットの機能も有している。
【００２５】
図５、６は前記の実施形態の筐体１１にＪＩＳ規格で規定されたフラッシュプレート２８を取りつけた状態を示した斜視図である。筐体１１の筐体前部はフラッシュプレート２８の間口を貫挿して室内側に突出・露出させ、筺体１１の上下面及び側面に空気の流通性を確保するための空気孔３７を設けて、ＨＵＢ回路部において発生する熱を放出する。
【００２６】
また、図７の機能ブロック図のように、室内側接栓であるＲＪ−４５型ジャック６とＲＪ−１１型ジャック１２、壁内側接栓であるＬＡＮ用クランプ型端子７と電話用クランプ型端子１３、及びＨＵＢ回路を複数枚のプリント基板９ａ〜９ｃに分割実装し、これらを筐体内の前後に配し、各プリント基板間の信号を接続する構造とすることにより基板の実装による筐体の縦横方向の面積の増大を防止し、もって筐体の外形及び寸法をＪＩＳ規格Ｃ８３７５で規定される取付枠４８、ＪＩＳ規格Ｃ８４３５で規定されるアウトレットボックス４９、及び、ＪＩＳ規格Ｃ８３１６で規定されるフラッシュプレート２８にそのまま着脱可能ならしめた。
【００２７】
図８は本発明実施例のＨＵＢ内蔵ローゼットを適用し、電話局（以下、局と表記する）からの通信回線媒体として光ファイバを用いて、建造物内にホームネットワークを構成した場合の配線例を示す図である。
【００２８】
この配線例では、局よりデータ通信用として光ファイバケーブル４５、電話用としてアナログ電話回線４６が屋内に引き込まれているものとする。
【００２９】
局からの光ファイバケーブル４５は第１の部屋１４に引き込まれＯＮＵ（光終端端末）１８に接続され、このＯＮＵ１８から２対乃至４対のＵＴＰケーブルによりルータ１９を介しＨＵＢ内蔵ローゼットの室内側接栓のＬＡＮ用ＲＪ−４５ジャック６に接続される。ルータ１９はＬＡＮと屋外のネットワークを接続し、効率のよいデータ転送を行える伝送ルートを選択する装置である。
【００３０】
ＬＡＮ配線は第１の部屋１４に設置されたＨＵＢ内蔵ローゼットの壁側接栓のＬＡＮ用クランプ端子７から電話配線で使用しているバス状の配管を通り第２の部屋１５、第３の部屋１６、第４の部屋１７のＬＡＮ用ローゼット２０〜２２へそれぞれ２対乃至４対のＵＴＰケーブル２７により接続され、各部屋のＬＡＮ用ローゼット２０〜２２にＬＡＮカード搭載パソコン２４〜２６を接続し、家庭内ＬＡＮを構築することが出来る。
【００３１】
また、局からの電話回線４６は１対のケーブルであり、第１部屋１４に設置されたＨＵＢ内蔵ローゼットの壁側接栓の電話用クランプ端子１３に接続される。
【００３２】
ＨＵＢ内蔵ローゼットの室内側接栓のＲＪ−１１ジャック１２にアナログ電話端末２９を接続し使用する事ができる。電話用配線３０は第１の部屋１４に設置されたＨＵＢ内蔵ローゼット壁側接栓で分岐可能な電話用クランプ端子１３と第２の部屋１５、第３の部屋１６、第４の部屋１７の電話用ローゼット３１〜３３は壁内のバス形状の配管を通り１対乃至２対のケーブル３０によりバス配線され、第２の部屋１５、第３の部屋１６、第４の部屋１７においてもアナログ電話端末３４〜３６を接続し使用する事ができる。
【００３３】
図９、１０は上記図３、４の実施形態の発展形であり、図９は室内側の外観形状を示す斜視図、図１０は壁内側の外観形状を示す斜視図である。請求項５に該当するアナログ電話端子を室内側、壁内側ともに２個ずつとしており、近年普及がめざましいＡＤＳＬに対応できるようにしたものである。図１１は本発明のＨＵＢ内蔵ローゼットをＡＤＳＬに適用した配線例である。
【００３４】
図１１の配線例では電話共用タイプのＡＤＳＬ回線４７が１回線屋内に引き込まれているものとする。局からのＡＤＳＬ回線４７は１対のケーブルであり第１の部屋１４に設置されたＨＵＢ内蔵ローゼットの壁側接栓の電話用クランプ端子２３に接続される。
【００３５】
ＡＤＳＬでは、局からＡＤＳＬ信号と電話信号が従来のアナログ電話回線上に重畳されているため、第１のＲＪ―１１ジャック３９にスプリッタ４０を接続し、スプリッタ４０に内蔵されたフィルタによりＡＤＳＬ信号と電話信号を分離する。
【００３６】
分離されたＡＤＳＬ信号はＡＤＳＬモデム４１でＡＤＳＬ信号からＬＡＮの信号に変換され、ルータ１９を介してＲＪ−４５ジャック４２に接続する。ＬＡＮ配線は第１の部屋１４に設置されたＨＵＢ内蔵ローゼット壁側接栓のＬＡＮ用クランプ端子４３から電話配線で使用しているバス状の配管を通り第２の部屋１５、第３の部屋１６、第４の部屋１７のＬＡＮ用ローゼット２０〜２２へそれぞれ２対乃至４対のＵＴＰケーブル２７により接続され、各部屋のＬＡＮ用ローゼット２０〜２２にＬＡＮカード搭載パソコン２４〜２６を接続し、家庭内ＬＡＮを構築することが出来る。
【００３７】
一方、スプリッタ４０から出力された電話信号は第２のＲＪ−１１ジャック４４に接続する。電話用配線３０は第１の部屋１４に設置されたＨＵＢ内蔵ローゼット壁側接栓の電話用クランプ端子３８と第２の部屋１５、第３の部屋１６、第４の部屋１７の電話用ローゼット３１〜３３は壁内のバス形状の配管を通り１対乃至２対のケーブル３０によりバス配線され、第２の部屋１５、第３の部屋１６、第４の部屋１７においてもアナログ電話端末３４〜３６を接続し使用する事ができる。
【００３８】
以上述べてきた２つの実施形態における、ＬＡＮ及び電話のポート数、配線例は一例であり、本発明のＨＵＢ内蔵ローゼットのポート構成、設置場所、接続可能な端末数を限定するものではない。
【図面の簡単な説明】
【００３９】
【図１】本発明のローゼットに用いるクランプ端子の分解斜視図
【図２】本発明のローゼットの実施例の側断面図
【図３】同上、筐体前部から観察した斜視図
【図４】同上、筐体後部から観察した斜視図
【図５】同上、フラッシュプレートを取付けた状態の筐体前部から観察した斜視図
【図６】同上、フラッシュプレートを取付けた状態の側面図
【図７】本発明のローゼットの実施例の電気回路のブロック図
【図８】本発明のローゼットの実施例の使用例を示す屋内配線のブロック図
【図９】本発明のローゼットの異なる実施例の筐体前部から観察した斜視図
【図１０】同上、筐体後部から観察した斜視図
【図１１】同上、使用例を示す屋内配線のブロック図
【符号の説明】
【００４０】
６    ＲＪ−４５型ジャック
７    ＬＡＮ用クランプ型端子
８    ＤＣジャック
９ａ〜９ｃ  ＨＵＢ回路基板
１０  取付枠に固着するための突起
１１  筺体
１２  ＲＪ−１１型ジャック
１３  電話用クランプ型端子
１８  ＯＮＵ（光終端端末）
１９  ルータ
２３  第１の電話用クランプ端子
２７  ＵＴＰ  ＬＡＮケーブル
２８  フラッシュプレート
２９  第１の部屋アナログ電話端末
３０  電話用配線
３７  通気孔
３８  第２の電話用クランプ端子
３９  第１のＲＪ―１１ジャック
４０  スプリッタ
４１  ＡＤＳＬモデム
４２  ＡＤＳＬ対応タイプのＲＪ−４５ジャック
４３  ＡＤＳＬ対応タイプのＬＡＮ用クランプ端子
４４  第２のＲＪ−１１ジャック
４５  光通信回線
４６  アナログ電話回線
４７  ＡＤＳＬ回線
４８  取付枠
４９  アウトレットボックス
【図１】
2005244514.tif 000003
【図２】
2005244514.tif 000004
【図３】
2005244514.tif 000005
【図４】
2005244514.tif 000006
【図５】
2005244514.tif 000007
【図６】
2005244514.tif 000008
【図７】
2005244514.tif 000009
【図８】
2005244514.tif 000010
【図９】
2005244514.tif 000011
【図１０】
2005244514.tif 000012
【図１１】
2005244514.tif 000013